(57)【要約】【解決手段】省エネ型情報家電ネットワークは、信号インタフェースモジュールを含むホームネットワークのメインコンピュータと、メインコンピュータに含まれた信号インタフェースモジュールと通信でき、且つ高周波数信号処理ユニットと低周波数信号処理ユニットを含み、信号処理送受信ユニットに接続される信号処理モジュールを含むインテリジェント情報家電とを有する。省エネ型情報家電ネットワークに対する省エネ制御方法は、低周波数信号処理ユニットは低周波数トリガー信号を受信後に、高周波数信号処理ユニットに対して動作トリガー信号を送信するステップと、インテリジェント情報家電は、これからホットスタンドバイ状態に変換する情報をフィードバックするステップと、インテリジェント情報家電は情報処理を完成した後、ホットスタンドバイ状態からコールドスタンドバイ状態に変換するステップとを含む。【選択図】図５
2010503297.tif 000002
【特許請求の範囲】
【請求項１】
ホームネットワークのメインコンピュータとインテリジェント情報家電を含む省エネ型情報家電ネットワークであり、
前記ホームネットワークのメインコンピュータは、前記インテリジェント情報家電と通信できる信号インタフェースモジュールを備え、
前記インテリジェント情報家電は、前記信号インタフェースモジュールから送信された高周波数信号を受信したり、及びデータ情報の伝送を制御する高周波数信号処理ユニットと、前記信号インタフェースモジュールから送信された電源オンオフ信号を受信して、前記電源オンオフ信号に含まれた電源オン信号により、前記高周波数信号処理ユニットの起動をトリガーし、インテリジェント情報家電をコールドスタンドバイ状態からホットスタンドバイ状態に変換したり、及び前記電源オンオフ信号に含まれた電源オフ信号により、前記高周波数信号処理ユニットの終了をトリガーし、インテリジェント情報家電をホットスタンドバイ状態からコールドスタンドバイ状態に変換する低周波数信号処理ユニットとを含み、前記インテリジェント情報家電に設置された情報処理送受信ユニットに接続される信号処理モジュールを備えることを特徴とする省エネ型情報家電ネットワーク。
【請求項２】
始終に動作しない状態にある前記インテリジェント情報家電に対して、設定時間を経過後に、前記インテリジェント情報家電をホットスタンドバイ状態からコールドスタンドバイ状態に変換するようにトリガーするタイマーが制御基板に設置されている前記インテリジェント情報家電を有することを特徴とする請求項１に記載の省エネ型情報家電ネットワーク。
【請求項３】
前記高周波数信号処理ユニットには、制御側は前記低周波数信号処理ユニットのトリガー信号出力側に接続され、前記インテリジェント情報家電の待機状態の変換をトリガーするオンオフ回路が設置されている前記インテリジェント情報家電を有することを特徴とする請求項１または２に記載の省エネ型情報家電ネットワーク。
【請求項４】
前記情報処理送受信ユニットは、イーサーネット（登録商標）傍受モジュールとバス送受信モジュールと無線信号送受信ユニットの何れかである前記インテリジェント情報家電を有することを特徴とする請求項１または２に記載の省エネ型情報家電ネットワーク。
【請求項５】
省エネ型情報家電ネットワークの省エネ制御方法であり、
省エネ型情報家電ネットワークが正常動作の時、インテリジェント情報家電に含まれた低周波数信号処理ユニットは、ホームネットワークのメインコンピュータに含まれた信号インタフェースモジュールにより送信された低周波数トリガー信号を受信後に、インテリジェント情報家電に含まれた高周波数信号処理ユニットに対して、動作トリガー信号を送信するステップ１と、
前記高周波数信号処理ユニットは動作状態に遷移し、当該インテリジェント情報家電にホットスタンドバイ状態を保持させるステップ２と、
前記インテリジェント情報家電は、前記ホームネットワークのメインコンピュータから送信された操作指令により、インテリジェント情報家電に含まれた情報処理送受信ユニットにより、相応する情報処理を完成するステップ３と、
前記インテリジェント情報家電は、これからコールドスタンドバイ状態に変換するという情報をフィードバックするステップ４と、
前記インテリジェント情報家電はホットスタンドバイ状態からコールドスタンドバイ状態に変換するステップ５と、
を有することを特徴とする省エネ型情報家電ネットワークに対する省エネ制御方法。
【請求項６】
前記ステップ３と前記ステップ４の間は更に、前記インテリジェント情報家電はタイマーを開始して、前記タイマーが設定された時間に達した後に、ステップ４を実行するプロセスも有することを特徴とする請求項５に記載の省エネ型情報家電ネットワークに対する省エネ制御方法。
【請求項７】
前記ステップ１は、前記低周波数信号処理ユニットは前記低周波数トリガー信号を受信後に、前記インテリジェント情報家電は現在電源オフ状態にあるかどうかを判断し、電源オフ状態にある場合は終了し、逆の場合は、インテリジェント情報家電に含まれた高周波数信号処理ユニットに対して動作トリガー信号を送信することを特徴とする請求項５または６に記載の省エネ型情報家電ネットワークに対する省エネ制御方法。
【請求項８】
前記ステップ２と前記ステップ３の間には更に、
前記インテリジェント情報家電はタイマーを開始するステップ２１と、
情報処理を行う操作指令を受信したかどうかを判断し、受信した場合は、ステップ２３を実行し、逆の場合はステップ２４を実行するステップ２２と、
前記インテリジェント情報家電は前記タイマーをゼロにリセットしてからステップ３を実行するステップ２３と、
前記タイマーは設定された時間に達したかどうかを判断し、達した場合はステップ４にジャンプして実行し、逆の場合は、ステップ２２に戻して実行するステップ２４と、
を含むことを特徴とする請求項５または６に記載の省エネ型情報家電ネットワークに対する省エネ制御方法。
【請求項９】
前記ステップ４の前は更に、前記タイマーは設定された時間に達したかどうかを判断し、達した場合は、ステップ４を実行し、逆の場合は、ステップ２２に戻して実行するプロセスも有することを特徴とする請求項８に記載の省エネ型情報家電ネットワークに対する省エネ制御方法。
【請求項１０】
前記ステップ１は、前記低周波数信号処理ユニットは前記低周波数トリガー信号を受信した後、更にインテリジェント情報家電は現在、ホットスタンドバイ状態にあるかどうかを判断し、ホットスタンドバイ状態にある場合は、直接にステップ３にジャンプして実行することを特徴とする請求項５または６に記載の省エネ型情報家電ネットワークに対する省エネ制御方法。
【発明の詳細な説明】
【技術分野】
【０００１】
本発明は省エネ型の情報家電ネットワークと省エネ制御方法に関し、特に、情報家電に設置された信号処理モジュールにより、情報家電を必要に応じて、ホットスタンドバイ状態に遷移させる方式に関する。上記省エネ制御方法により、情報家電のエネルギー消費を抑制し、省エネ型情報家電ネットワークと当該省エネ型情報家電ネットワークに対する省エネ制御方法の使用を実現する。
【背景技術】
【０００２】
ネットワーク技術と情報家電産業が発展すると共に、従来の単純な家電機器もネットワークとデータ交換できるものに進化してきた。ネットワークと情報交換できる家電機器は、通常、情報家電、或いはネットワーク家電と呼ばれる。ネットワークからデータを受信したり、及び自身の状態情報をネットワークにフィードバックできる情報家電によると、ユーザは外出先からもインターネットを介して、宅内の情報家電のデータを取得し、情報家電の状態を確認できる。情報家電の中で、多機能で、複雑な情報処理とデータ処理能力を備えるものはインテリジェント情報家電と呼ばれ、テレビ・電子レンジ・冷蔵庫、及びハブ搭載の複合設備等がある。それ以外は、簡単なロジック機能を備え、複雑な情報交換が不要で、オンオフのような簡単なロジック指令（例えば、オンオフのような制御信号）だけを受信したり、及び自分の状態情報（例えば、オン・オフ状態）を制御設備やネットワークにフィードバックするものもあり、通常はロジック情報家電と呼ばれ、信号制御可能な電灯や電子水栓等がある。
【０００３】
現存の情報家電ネットワークの構成は、集中制御と分散化制御に分けられる。制御方式に関わらず、通常は図１に示したように、ネットワークシステムの構成には、ゲートウェイ設備或いはホームネットワークのメインコンピュータ１と呼ばれるものと、インテリジェント情報家電２とロジック情報家電３が含まれる。ホームネットワークのメインコンピュータは、外部に対して、相応なネットワークインタフェースにより外部の通信ネットワーク４に接続する。内部に対しては、内蔵の信号インタフェースモジュール１１により、バス方式と電力線方式（PLCと略称する）と無線インタフェースモジュールによる無線通信方式の何れか、或いは幾つかの方式の組み合わせを利用し、複数のインテリジェント情報家電２とロジック情報家電３と接続して、家庭内部のローカルネットワークを構成する。各インテリジェント情報家電２には、制御信号を識別し、データ情報の交換を制御するための情報処理送受信ユニットが設置されている。前記情報処理送受信ユニットは、イーサーネット（登録商標）傍受モジュールと、バス送受信モジュールと/又は無線信号送受信モジュールの何れであっても良い。
【０００４】
ネットワーク構築方式は、通常、網状の接続方式を採用し、ホームネットワークに高速データを伝送するためのバックボーンネットワークと低速データを伝送するためのサブネットワークの２部分に分ける。バックボーンネットワークとサブネットワークにおける各設備は、通常、異なるプロトコルスタックと異なる伝送モードを採用する。バックボーンネットワークは、イーサーネット（登録商標）を利用して構築できる。サブネットワークの中下層は通常、イーサーネット（登録商標）でない方式で構築する。
【０００５】
インテリジェント情報家電２とロジック情報家電３の運転は、ホームネットワークのメインコンピュータ１の制御指令により実現される。そのため、動作しない時は、待機状態にある。制御ロジックが簡単で、データ交換が全然なく、或いは非常に少ないロジック情報家電に対しては、待機時の電力消費がほぼないので、その時の待機状態は、コールドスタンドバイ状態と見なされても良い。所謂コールドスタンドバイ状態は、家電設備内部の全ての動作部品の中で、低周波数信号で動作する制御ユニットだけは動作状態にあることを指す。しかし、複雑な制御ロジックを備え、他の設備や外部ネットワークとデータ交換する必要があるインテリジェント情報家電に対しては、通常、即時に動作状態に遷移できる待機方式を採用する。その即時に動作状態に遷移できる待機方式は、ホットスタンドバイ状態と呼ばれる。ホットスタンドバイ状態において、インテリジェント情報家電の制御回路（或いは制御モジュール）は、全て電源オンの状態にある。情報家電ネットワークにおいて、あるロジック情報家電を動作させたい時、ホームネットワークのメインコンピュータ１は当該ロジック情報家電のアドレス情報を含む低周波数制御情報を当該ロジック情報家電に送信する。当該ロジック情報家電は前記低周波数制御情報を受信後に、具体な指令により動作する。しかし、低周波数の制御情報は、複雑なデータ情報処理を制御できないので、あるインテリジェント情報家電にデータ情報を処理させたい場合、ホームネットワークのメインコンピュータ１は当該インテリジェント情報家電のアドレス情報を含む高周波数制御情報を送信する。当該インテリジェント情報家電に設置された情報処理送受信ユニットは前記高周波数制御情報を受信して、インテリジェント情報家電のデータ交換処理を完成する。
【発明の概要】
【発明が解決しようとする課題】
【０００６】
現存の情報家電ネットワークは、次の欠陥が存在している。実際の応用において、使用者は在宅しない時、低周波数の制御情報によっては、インテリジェント情報家電の動作を制御できないことがよく発生する。そのため、人間の関与が必要とする大多数のインテリジェント情報家電は、操作指令を受信していない長い期間で、ホットスタンドバイ状態にあり続け、大量な電力エネルギーを消費してしまう。又、長期にホットスタンドバイ状態にあるインテリジェント情報家電は、大きな電圧や電流負荷をかけられているため、一部の重要な部品は、破壊しやすくなり、火災リスクになる可能性もある。
【０００７】
本発明の目的は、現存の情報家電ネットワークに存在している大量な電力エネルギー消費と、部品破壊の容易性、火災リスクの諸問題を解決することにある。
【０００８】
そのため、本発明は、省エネ型情報家電ネットワークと省エネ制御方法を提供した。
【課題を解決するための手段】
【０００９】
本発明にかかる省エネ型情報家電ネットワークは、ホームネットワークのメインコンピュータとインテリジェント情報家電を含む。前記ホームネットワークのメインコンピュータは、前記インテリジェント情報家電と通信するための信号インタフェースモジュールを具備し、前記インテリジェント情報家電は、前記信号インタフェースモジュールと通信するための信号処理モジュールを具備する。当該信号処理モジュールは、更に、前記信号インタフェースモジュールから送信された高周波数信号を受信したり、及びデータ情報の伝送を制御する高周波数信号処理ユニットと、前記信号インタフェースモジュールから送信された電源オンオフ信号を受信し、前記電源オンオフ信号に含まれた電源オン信号により、前記高周波数信号処理ユニットの起動をトリガーして、インテリジェント情報家電をコールドスタンドバイ状態からホットスタンドバイ状態に変換したり、或いは前記電源オンオフ信号に含まれた電源オフ信号により、前記高周波数信号処理ユニットの終了をトリガーし、インテリジェント情報家電をホットスタンドバイ状態からコールドスタンドバイ状態に変換する低周波数信号処理ユニットを含む。前記信号処理モジュールは前記インテリジェント情報家電に含まれた情報処理送受信ユニットと接続する。
【００１０】
本発明にかかる省エネ型情報家電ネットワークに対する省エネ制御方法は、
省エネ型情報家電ネットワークは正常動作の時、インテリジェント情報家電に含まれた低周波数信号処理ユニットは、ホームネットワークのメインコンピュータに含まれた信号インタフェースモジュールから送信された低周波数トリガー信号を受信後に、インテリジェント情報家電に含まれた高周波数信号処理ユニットに対して、動作トリガー信号を送信するステップ１と、
前記高周波数信号処理ユニットはインテリジェント情報家電に含まれた情報処理送受信ユニットにより、前記インテリジェント情報家電をトリガーし、前記インテリジェント情報家電をホットスタンドバイ状態に変換するステップ２と、
前記インテリジェント情報家電は前記ホームネットワークのメインコンピュータから送信された操作指令により、インテリジェント情報家電に含まれた情報処理送受信ユニットにより、相応な情報処理を完成するステップ３と、
前記インテリジェント情報家電は、これからコールドスタンドバイ状態に変換する情報をフィードバックするステップ４と、
前記インテリジェント情報家電はホットスタンドバイ状態からコールドスタンドバイ状態に変換するステップ５と、
を含むことを特徴とする省エネ型情報家電ネットワークに対する省エネ制御方法である。
【００１１】
前記省エネ型情報家電ネットワークの技術案において、全てのインテリジェント情報家電には、高周波数信号処理ユニットと低周波数信号処理ユニットを含む信号処理モジュールが設置されている。当該信号処理モジュールは、ホームネットワークのメインコンピュータに設置された信号インタフェースモジュールと接続する。そうすると、正常な待機状態では、インテリジェント情報家電はコールドスタンドバイ状態にある。一旦、あるインテリジェント情報家電を動作させたい時、ホームネットワークのメインコンピュータは当該インテリジェント情報家電に対して、低周波数トリガー信号を送信する。当該インテリジェント情報家電に含まれた低周波数信号処理ユニットは、高周波数信号処理ユニットにより、当該インテリジェント情報家電をコールドスタンドバイ状態からホットスタンドバイ状態に変換する。相応な情報処理が完成した後、インテリジェント情報家電は、又ホットスタンドバイ状態からコールドスタンドバイ状態に変換される。
【００１２】
前記省エネ型情報家電ネットワークに対する省エネ制御方法の技術案は、低周波数信号処理ユニットにより高周波数信号処理ユニットをトリガーするステップや、インテリジェント情報家電が情報処理を完成した後の待機状態変換等のステップにより、動作しない時のインテリジェント情報家電に低電力消費のコールドスタンドバイ状態を保持させる。
【００１３】
本発明は、制御信号の伝送のみに用いられる低周波数信号と、情報家電がホットスタンドバイ状態又は動作モードにある場合のみ、情報データの伝送を制御する高周波数信号とを利用することにより、情報家電ネットワークのエネルギー消費の抑制、重要部品破壊率の大幅低減、及び火災リスクの回避等が図られ、優れた実用性を提供する。
【図面の簡単な説明】
【００１４】
【図１】現存の情報家電ネットワークのシステム構成を示すブロック図である。
【図２】本発明にかかる省エネ型情報家電ネットワークの第１実施例のシステム構成を示すブロック図である。
【図３】本発明にかかる省エネ型情報家電ネットワークの第２実施例のシステム構成を示すブロック図である
【図４】本発明にかかる省エネ型情報家電ネットワークにおける信号処理モジュール実施例の構成を示すブロック図である。
【図５】本発明にかかる省エネ制御方法の第１実施例を示すフローチャートである。
【図６】本発明にかかる省エネ制御方法の第２実施例を示すフローチャートである。
【図７】本発明にかかる省エネ制御方法の第３実施例を示すフローチャートである。
【発明を実施するための形態】
【００１５】
以下は図面と実施例により、本発明の技術案を詳細に説明する。
【００１６】
省エネ型情報家電ネットワークの第１実施例について
図２は本発明にかかる省エネ型情報家電ネットワークの第１実施例のシステム構成を示すブロック図である。当該システムはホームネットワークのメインコンピュータ１と複数のインテリジェント情報家電２を含む。ホームネットワークのメインコンピュータ１に、インテリジェント情報家電２と通信できる信号インタフェースモジュール１１が設置されている。インテリジェント情報家電２に、信号インタフェースモジュール１１と通信できる信号処理モジュール２１が設置されている。当該信号処理モジュール２１は、信号インタフェースモジュール１１から送信された高周波数信号を受信したり、及びデータ情報の伝送を制御する高周波数信号処理ユニット２１１と、信号インタフェースモジュール１１から送信された電源オンオフ信号を受信する低周波数信号処理ユニット２１２とを含む。前記電源オンオフ信号に含まれた電源オン信号は、インテリジェント情報家電２をコールドスタンドバイ状態からホットスタンドバイ状態に変換し、前記電源オンオフ信号に含まれた電源オフ信号はインテリジェント情報家電２をホットスタンドバイ状態からコールドスタンドバイ状態に変換することに用いられる。信号処理モジュール２１はインテリジェント情報家電２に設置された情報処理送受信ユニット２２と接続する。
【００１７】
省エネ型情報家電ネットワークの第２実施例について
図３に示したように、インテリジェント情報家電の制御基板２３に、更に設定しておいた情報処理操作指令の受信時間の長さにより、電源オフの信号を送信し、前記インテリジェント情報家電をホットスタンドバイ状態からコールドスタンドバイ状態に変換するようにトリガーするタイマー２３１を設置しても良い。
【００１８】
前記システムにおいて、ホームネットワークのメインコンピュータ１は外部に対して、無線か有線の方式により、外部の通信ネットワーク４と接続し、遠隔制御を実現できる。内部に対して、電力線方式（即ち、PLC方式）により、インテリジェント情報家電２及びロジック情報家電と接続できる。電力線によるバス信号の搬送は、インテリジェント情報家電２と他のロジック情報家電の宅内の自由移動に利便性を提供できるため、PLC方式はより良い柔軟性を持つ方式と考えられる。又、設備間の相互通信に柔軟性を提供するために、無線接続方式も設定できる。本実施例の中で、ロジック情報家電も含まれているが、本発明にかかる省エネ技術問題と関係ないため、説明は省略する。
【００１９】
インテリジェント情報家電２に含まれた情報処理送受信ユニット２２はイーサーネット（登録商標）傍受モジュールと無線信号送受信モジュールである。バス方式を利用して接続する時、情報処理送受信ユニット２２に含まれたバス送受信モジュールを採用しても良い。
【００２０】
低周波数信号は、簡単な制御信号、例えば、on/off信号の伝送に、或いは、高周波数信号処理ユニット２１１をトリガーし、動作状態に遷移させることに用いられる。高周波数信号処理ユニット２１１は動作状態に遷移すると共に、インテリジェント情報家電２に含まれた制御回路をトリガーし、制御回路に電源を入れ、制御回路を情報処理できる動作状態に切替させる。同時に、情報処理送受信ユニット２２をトリガーする。その時のインテリジェント情報家電２はホットスタンドバイ状態にある。高周波数信号処理ユニット２１１は又、ホームネットワークのメインコンピュータ１により、外部通信ネットワーク４とデータやメッセージを交換できる。高周波数信号は、OFDM変調方式を採用し、電力線で伝送されているビデオ情報のような大規模データを伝送する。信号インタフェースモジュール１１は電力線信号変換モジュールを利用して情報の制御と伝送を行う。
【００２１】
本実施例は一般家庭で最も普及している電力線を多数の家電設備の信号伝送媒介とする。制御システムは、電力線伝送に汎用なX１０・CEBus・Lon works・ApBus等のプロトコルを採用する。又、自己定義のプロトコルを採用しても良い。
【００２２】
省エネ型情報家電ネットワークの第３実施例について
この実施例は前記実施例との相違点は、信号処理モジュール２１の具体的な構成のみにあり、それ以外は全て同じなので、説明を省略する。図４に示したように、本実施例において、高周波数信号処理ユニット２１１に、オンオフ回路２１３が設置されている。当該オンオフ回路２１３は、制御側が低周波数信号処理ユニット２１２のトリガー信号出力側と接続していて、高周波数信号処理ユニット２１１をトリガーし、更にインテリジェント情報家電の待機状態の変換をトリガーすることに用いられる。
【００２３】
省エネ制御方法の第１の実施例
図５に示したように、本実施例は少なくとも次のステップを有する。
本発明にかかる省エネ型情報家電ネットワークが正常動作の時、コールドスタンドバイ状態にあるインテリジェント情報家電は、低周波数信号処理ユニットにより、ホームネットワークのメインコンピュータに含まれた信号インタフェースモジュールから送信された低周波数トリガー信号を受信した後、当該インテリジェント情報家電に含まれた高周波数信号処理ユニットに対して、動作トリガー信号を送信するステップ４０１と、
高周波数信号処理ユニットは、インテリジェント情報家電に含まれた情報処理送受信ユニットにより、前記インテリジェント情報家電をトリガーし、前記インテリジェント情報家電をコールドスタンドバイ状態からホットスタンドバイ状態に変換する。その後、前記インテリジェント情報家電は、ホームネットワークのメインコンピュータから送信された操作指令を受信できるようになるステップ４０２と、
当該インテリジェント情報家電はホームネットワークのメインコンピュータから送信された操作指令により、相応な情報処理（例えば、自分の仕事内容の調整とパラメータの調整、データダウンロード・アップロード等の情報処理）を完成後に、タイマーを開始するステップ４０３と、
当該インテリジェント情報家電は、タイマーが設定された時間に達した後に、他の操作指令を受信しなければ、ステップ４０５を実行するステップ４０４と、
インテリジェント情報家電は、これからコールドスタンドバイ状態に変換する情報をフィードバックするステップ４０５と、
インテリジェント情報家電は、ホットスタンドバイ状態からコールドスタンドバイ状態に変換して終了するステップ４０６と
を有することを特徴とする第１実施例にかかる省エネ制御方法である。
【００２４】
本実施例において、消費電力を抑制するため、インテリジェント情報家電は動作しない時に、コールドスタンドバイ状態に設定される。あるインテリジェント情報家電を動作させたい時だけ、当該インテリジェント情報家電をホットスタンドバイ状態に変換させる。タイマーの長さは、ユーザ自分で設定しても、インテリジェント情報家電が出荷される時に、メーカーから設定されても良い。設定時間が長ければ長いほど、無駄になるエネルギーは多い。逆に、設定時間が短ければ短いほど、無駄になるエネルギーは少ない。しかし、ホームネットワークのメインコンピュータからのトリガー情報の送信時間間隔が短く、送信頻度が高い場合、待機状態の変換も頻繁的になるため、インテリジェント情報家電の部品寿命が短くなってしまう。そのため、適切なタイマー長を設定してこそ、インテリジェント情報家電を保護すると同時に、省エネの目標も達成できる。
【００２５】
情報処理作業を完成したインテリジェント情報家電は、タイマーの設定時間帯で、ほかの操作指令を受信していない場合、コールドスタンドバイ状態に変換し、自身の待機状態の情報をホームネットワークのメインコンピュータにフィードバックする。ホームネットワークのメインコンピュータは、それにより、ホームネットワークのメインコンピュータは各インテリジェント情報家電の待機状態の情報を取得できる。
【００２６】
省エネ制御方法の第２実施例
図６は、本発明にかかる省エネ制御方法の第２実施例を示すフローチャートであり、
省エネ型情報家電ネットワークは正常動作の時に、あるインテリジェント情報家電に含まれた低周波数信号処理ユニットは、ホームネットワークのメインコンピュータに含まれた信号インタフェースモジュールから送信された低周波数トリガー信号を受信するステップ５０１と、
当該インテリジェント情報家電は現在、電源オフの状態にあるかどうかを判断する。電源オフの状態にある場合は終了する。逆の場合は、ステップ５０３を実行するステップ５０２と、
当該インテリジェント情報家電は現在、ホットスタンドバイ状態にあるかどうかを判断する。ホットスタンドバイ状態にある場合はステップ５０６を実行する。逆の場合はステップ５０４を実行するステップ５０３と、
低周波数信号処理ユニットはインテリジェント情報家電に含まれた高周波数信号処理ユニットに対して、動作トリガー信号を送信するステップ５０４と、
高周波数信号処理ユニットはトリガーされると、動作状態に遷移すると共に、インテリジェント情報家電に含まれた制御回路をトリガーし、制御回路を動作状態に遷移させ、当該インテリジェント情報家電を従来のコールドスタンドバイ状態からホットスタンドバイ状態に変換するステップ５０５と、
当該インテリジェント情報家電はタイマーを開始し、操作指令を待機するステップ５０６と、
当該インテリジェント情報家電は、情報処理を行う操作指令を受信したかどうかを判断する。受信した場合はステップ５０８を実行する。逆の場合は、ステップ５１５を実行するステップ５０７と、
電源オフの信号を受信したかどうかを判断する。受信した場合は、ステップ５１３を実行する。逆の場合は、ステップ５０９を実行するステップ５０８と、
インテリジェント情報家電は前記タイマーをゼロにリセットするステップ５０９と、
当該インテリジェント情報家電はホームネットワークのメインコンピュータから送信された操作指令により、相応な情報処理を完成するステップ５１０と、
タイマーを再開するステップ５１１と、
タイマーは設定された時間に達したかどうかを判断する。達した場合は、ステップ５１３を実行する。逆の場合は、ステップ５０７に戻して実行するステップ５１２と、
インテリジェント情報家電は、これからコールドスタンドバイ状態に変換する情報をフィードバックするステップ５１３と、
インテリジェント情報家電は、ホットスタンドバイ状態からコールドスタンドバイ状態に変換して終了するステップ５１４と、
タイマーは設定された時間に達したかどうかを判断する。達した場合は、ステップ５１３を実行する。逆の場合は、ステップ５０７に戻して実行するステップ５１５と、
を有することを特徴とする省エネ制御方法である。
【００２７】
本実施例において、タイマーを２回起動させる理由は、インテリジェント情報家電はホットスタンドバイ状態になった後、故障等の原因で操作指令が送信されていない場合、インテリジェント情報家電は、一定の時間を待った後、エネルギーを抑制するため、自動的にコールドスタンドバイ状態に遷移することにある。それに対して、インテリジェント情報家電はホットスタンドバイ状態になった後、操作指令を受信した場合、自然的にホットスタンドバイ状態から情報を処理する動作状態に切り替えるので、スタンドバイする必要がない。その場合、タイマーの経過により、進行中の情報処理を中止することを回避するため、タイマーをゼロにリセットしなければならない。情報処理が完了した後、後続な操作指令があるかどうか知らない場合のみ、インテリジェント情報家電はホットスタンドバイ状態で、タイマーを再開し、エネルギーの抑制を図る。
【００２８】
省エネ制御方法の第３の実施例
図７は本発明にかかる省エネ制御方法の第３実施例を示すフローチャートである。図６に示した第２実施例との相違点は、インテリジェント情報家電２が初回目の電源オン信号を受信したステップ６０１にある。この実施例は、
インテリジェント情報家電は、初回目の電源オン信号を受信したステップ６０１と、
当該インテリジェント情報家電はホットスタンドバイ状態に遷移するステップ６０２と、
当該インテリジェント情報家電はタイマーを開始し、操作指令を待機するステップ６０３と、
当該インテリジェント情報家電は、情報処理を行う操作指令を受信したかどうかを判断する，受信した場合は、ステップ６０５を実行する。逆の場合は、ステップ６１２を実行するステップ６０４と、
電源オフの信号を受信したかどうかを判断する。受信した場合は、ステップ６１０を実行する。逆の場合は、ステップ６０６を実行するステップ６０５と、
インテリジェント情報家電は前記タイマーをゼロにリセットするステップ６０６と、
当該インテリジェント情報家電はホームネットワークのメインコンピュータから送信された操作指令により、相応な情報処理を完成するステップ６０７と、
タイマーを再開するステップ６０８と、
タイマーは設定された時間に達したかどうかを判断する。達した場合は、ステップ６１０を実行する。逆の場合は、ステップ６０４に戻して実行するステップ６０９と、
インテリジェント情報家電は、これからコールドスタンドバイ状態に変換する情報をフィードバックするステップ６１０と、
インテリジェント情報家電は、ホットスタンドバイ状態からコールドスタンドバイ状態に変換して終了するステップ６１１と、
タイマーは設定された時間に達したかどうかを判断する。達した場合は、ステップ６１０を実行する。逆の場合は、ステップ６０４に戻して実行するステップ６１２と、
を有することを特徴とする省エネ制御方法である。
【００２９】
最後に注意するべきことは、前記実施例は本発明の技術的な解決手段の説明だけであり、技術上の制限とはならない。本明細書では上述した実施例を参照し本発明を詳しく解説したが、当業者により、上述した技術的な解決手段を改造し、またはその中の一部の技術要素を置換することもできる。そのような改造と置換は本発明の各実施例の技術の範囲から逸脱するとは見なされない。
【図１】
2010503297.tif 000003
【図２】
2010503297.tif 000004
【図３】
2010503297.tif 000005
【図４】
2010503297.tif 000006
【図５】
2010503297.tif 000007
【図６】
2010503297.tif 000008
【図７】
2010503297.tif 000009
【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
ホームネットワークのメインコンピュータとインテリジェント情報家電を含む省エネ型情報家電ネットワークであり、
前記ホームネットワークのメインコンピュータは、前記インテリジェント情報家電と通信できる信号インタフェースモジュールを備え、
前記インテリジェント情報家電は、前記信号インタフェースモジュールから送信された高周波数信号を受信したり、及びデータ情報の伝送を制御する高周波数信号処理ユニットと、前記信号インタフェースモジュールから送信された電源オンオフ信号を受信して、前記電源オンオフ信号に含まれた電源オン信号により、前記高周波数信号処理ユニットの起動をトリガーし、インテリジェント情報家電をコールドスタンドバイ状態からホットスタンドバイ状態に変換したり、及び前記電源オンオフ信号に含まれた電源オフ信号により、前記高周波数信号処理ユニットの終了をトリガーし、インテリジェント情報家電をホットスタンドバイ状態からコールドスタンドバイ状態に変換する低周波数信号処理ユニットとを含み、前記インテリジェント情報家電に設置された情報処理送受信ユニットに接続される信号処理モジュールを備えることを特徴とする省エネ型情報家電ネットワーク。
【請求項２】
始終に動作しない状態にある前記インテリジェント情報家電に対して、設定時間を経過後に、前記インテリジェント情報家電をホットスタンドバイ状態からコールドスタンドバイ状態に変換するようにトリガーするタイマーが制御基板に設置されている前記インテリジェント情報家電を有することを特徴とする請求項１に記載の省エネ型情報家電ネットワーク。
【請求項３】
前記高周波数信号処理ユニットには、制御側は前記低周波数信号処理ユニットのトリガー信号出力側に接続され、前記インテリジェント情報家電の待機状態の変換をトリガーするオンオフ回路が設置されている前記インテリジェント情報家電を有することを特徴とする請求項１または２に記載の省エネ型情報家電ネットワーク。
【請求項４】
前記情報処理送受信ユニットは、イーサーネット（登録商標）傍受モジュールとバス送受信モジュールと無線信号送受信ユニットの何れかである前記インテリジェント情報家電を有することを特徴とする請求項１または２に記載の省エネ型情報家電ネットワーク。
【請求項５】
省エネ型情報家電ネットワークの省エネ制御方法であり、
省エネ型情報家電ネットワークが正常動作の時、インテリジェント情報家電に含まれた低周波数信号処理ユニットは、ホームネットワークのメインコンピュータに含まれた信号インタフェースモジュールにより送信された低周波数トリガー信号を受信後に、インテリジェント情報家電に含まれた高周波数信号処理ユニットに対して、動作トリガー信号を送信するステップ１と、
前記高周波数信号処理ユニットは動作状態に遷移し、当該インテリジェント情報家電にホットスタンドバイ状態を保持させるステップ２と、
前記インテリジェント情報家電は、前記ホームネットワークのメインコンピュータから送信された操作指令により、インテリジェント情報家電に含まれた情報処理送受信ユニットにより、相応する情報処理を完成するステップ３と、
前記インテリジェント情報家電は、これからコールドスタンドバイ状態に変換するという情報をフィードバックするステップ４と、
前記インテリジェント情報家電はホットスタンドバイ状態からコールドスタンドバイ状態に変換するステップ５と、
を有することを特徴とする省エネ型情報家電ネットワークに対する省エネ制御方法。
【請求項６】
前記ステップ３と前記ステップ４の間は更に、前記インテリジェント情報家電はタイマーを開始して、前記タイマーが設定された時間に達した後に、ステップ４とステップ５を実行するプロセスも有することを特徴とする請求項５に記載の省エネ型情報家電ネットワークに対する省エネ制御方法。
【請求項７】
前記ステップ１は、前記低周波数信号処理ユニットは前記低周波数トリガー信号を受信後に、前記インテリジェント情報家電は現在電源オフ状態にあるかどうかを判断し、電源オフ状態にある場合は終了し、逆の場合は、インテリジェント情報家電に含まれた高周波数信号処理ユニットに対して動作トリガー信号を送信することを特徴とする請求項５または６に記載の省エネ型情報家電ネットワークに対する省エネ制御方法。
【請求項８】
前記ステップ２と前記ステップ３の間には更に、
前記インテリジェント情報家電はタイマーを開始するステップ２１と、
情報処理を行う操作指令を受信したかどうかを判断し、受信した場合は、ステップ２３を実行し、逆の場合はステップ２４を実行するステップ２２と、
前記インテリジェント情報家電は前記タイマーをゼロにリセットしてからステップ３を実行するステップ２３と、
前記タイマーは設定された時間に達したかどうかを判断し、達した場合はステップ４にジャンプして実行し、逆の場合は、ステップ２２に戻して実行するステップ２４と、
を含むことを特徴とする請求項５または６に記載の省エネ型情報家電ネットワークに対する省エネ制御方法。
【請求項９】
前記ステップ１は、前記低周波数信号処理ユニットは前記低周波数トリガー信号を受信した後、更にインテリジェント情報家電は現在、ホットスタンドバイ状態にあるかどうかを判断し、ホットスタンドバイ状態にある場合は、直接にステップ３にジャンプして実行することを特徴とする請求項５または６に記載の省エネ型情報家電ネットワークに対する省エネ制御方法。
【手続補正書】
【提出日】平成21年9月9日(2009.9.9)
【手続補正１】
【補正対象書類名】手続補正書
【補正対象項目名】手続補正２
【補正方法】削除
【補正の内容】
【国際調査報告】
2010503297.tif 000010
2010503297.tif 000011
2010503297.tif 000012
2010503297.tif 000013